(57)【特許請求の範囲】
【請求項１】
パルス整形回路とビデオ表示プロセッサとを含んだビデオ表示装置であって、
トランジスタ・スイッチと、
垂直偏向回路の増幅器の電力供給ブースト段を構成する、第１のパルス電圧の電圧源であって、前記第１のパルス電圧は、垂直帰線期間の間に垂直前記ブースト段で生成されるものである、第１のパルス電圧の電圧源と、
前記第１のパルス電圧に応答し、前記トランジスタ・スイッチの制御端子に結合される第２のパルス電圧を発生し、該第２のパルス電圧に従って前記トランジスタ・スイッチを制御して、前記第２のパルス電圧の後縁が前記第１のパルス電圧の後縁に先立って生じるようにする、微分回路と、
前記第１のパルス電圧の前記電圧源と前記トランジスタ・スイッチの主電流導通端子とに結合され、前記第２のパルス電圧の前記後縁に従って定められる後縁を有する第３のパルス電圧を発生し、該第３のパルス電圧は前記ビデオ表示プロセッサに結合され、該第３のパルス電圧の前記後縁から前記第１のパルス電圧のタイミング情報を与える、インピーダンスとを含む、前記ビデオ表示装置。
【発明の詳細な説明】
【０００１】
【発明の属する技術分野】
本発明は、パルスの整形回路に関し、特に、ビデオ装置のためのパルスの整形回路に関する。
【０００２】
【従来の技術】
カンフィールド（Ｃａｎｆｉｅｌｄ）氏に付与された“ビデオ信号の奇数／偶数フィールド検出器”という名称の米国特許第５，０２５，４９６号は、ビデオ表示装置のピクチャ・イン・ピクチャ（ＰＩＰ）表示プロセッサのフィールド検出器について述べている。フィールド検出器はビデオ信号の奇数画像フィールドと偶数画像フィールドを見分けるのに使用される。この奇数フィールドと偶数フィールドを見分ける必要が生じるのは、正しいインタレースを確実にし且つＰＩＰ構成の小画像のジッタを避ける必要があるためである。
【０００３】
カンフィールド氏の特許におけるフィールド検出器は、同一の信号ライン上に水平同期信号と垂直同期信号の両方を含む、複合帰線消去信号または複合同期信号に応答する。この検出器において、ある一定のフィールドの複合同期信号の垂直同期信号部分の後縁とその直ぐあとに続く水平同期信号部分の前縁との間の時間差が測定される。１フィールドで測定された時間差は次のフィールドで測定された時間差と比較される。この測定から、フィールドの種類、すなわち偶数フィールドまたは奇数フィールドが決定される。有利なことに、垂直同期信号部分の後縁からそのあとに続く水平同期信号部分の前縁までの比較的短い時間間隔を測定するので、少数の段階を有する時間差計数器を使用できる。
【０００４】
カンフィールド氏の特許の構成は１つの集積回路（ＩＣ）の中に含められる。複合同期信号はＩＣの外部で発生され、ダイオードによるオア（ＯＲ）構成を使用して、別々の水平同期信号と垂直同期信号を単一の端子またはピンにおいて合成する。有利なことに、単一の端子を使用して複合同期信号をＩＣに供給することにより、水平同期信号と垂直同期信号が別々の端子またはピンを介して供給される場合よりも、ＩＣのピン・カウント（ピンの数）が少なく保たれる。
【０００５】
典型的には、偏向ＩＣ内に含められる垂直カウントダウン回路を使用して、制御信号を垂直周波数で発生する。制御信号は、偏向ＩＣ内で垂直のこぎり波発生器に結合される。のこぎり波信号は偏向ＩＣの出力端子に発生される。のこぎり波信号は、垂直偏向電流を発生する垂直偏向増幅器に供給される。偏向ＩＣのピン・カウントを減らすために、制御信号は偏向ＩＣの専用のピンまたは端子に供給されない。
【０００６】
複合同期信号の垂直同期信号部分が垂直カウントダウン回路の制御信号に同期するようにＰＩＰ表示プロセッサのための複合同期信号を発生することが望ましい。
【０００７】
垂直偏向増幅器のブースト供給回路の一例は、ウイルバー（Ｗｉｌｂｅｒ）氏に付与された“Ｓ字補正を有する垂直偏向装置”という名称の米国特許第５，２２９，６９２号に述べられている。垂直帰線消去信号を発生するためにブースト供給回路を使用することはよく知られている。あいにく、ブースト供給回路で発生することのできるパルス電圧の後縁は、ジッタすなわち連続するフィールド間の変動を生じ易い。これは、ブースト供給回路のパルスが、垂直偏向増幅器に寄生的に結合される水平周波数の信号に影響されるためである。
【０００８】
これと対照的に、ブースト供給回路のパルス電圧の前縁は垂直帰線の付近で起こり、一般に、過度の変動またはジッタの変動を受けない。複合同期信号を発生するために水平同期信号と合成することのできる複合同期信号の垂直同期信号部分を、偏向増幅器と関連するブースト供給回路から得ることが望ましい。このような複合同期信号は、例えば、上述したカンフィールド氏の構成に使用することができる。
【０００９】
【発明が解決しようとする課題】
本発明に従って、ブースト供給回路のパルス電圧は波形が作り変えられすなわち整形され、後縁のタイミングが主として前縁のタイミングにより決定され、それによって、垂直偏向増幅器において生じる変動の影響を相当に受けにくくする。
【００１０】
【課題を解決するための手段】
本発明の特徴を実施する、ビデオ表示装置の信号発生器は、偏向巻線内に偏向電流を発生するための垂直偏向増幅器を含む。第１のパルス電圧は垂直帰線期間の間に発生される。パルスの整形回路は第１のパルス電圧に応答して第２のパルス電圧を発生する。第２のパルス電圧は、第１のパルス電圧に従って決定される後縁を有し、且つ第１のパルス電圧の後縁より前に生じる。第２のパルス電圧は利用回路に結合され、第２のパルス電圧の後縁からタイミング情報を与える。
請求の範囲と実施例との対応関係を図面で使われている参照符号で示すと次の通りである。
（請求項１）  パルス整形回路とビデオ表示プロセッサとを含んだビデオ表示装置であって、
トランジスタ・スイッチ（Ｑ２）と、
垂直偏向回路の増幅器の電力供給ブースト段（１１ｆ）を構成する、第１のパルス電圧の電圧源であって、前記第１のパルス電圧は、垂直帰線期間の間に垂直前記ブースト段で生成されるものである、第１のパルス電圧（ＶＢＳＴ）の電圧源と、
前記第１のパルス電圧に応答し、前記トランジスタ・スイッチの制御端子（ベース）に結合される第２のパルス電圧（Ｑ２のベース電圧）を発生し、該第２のパルス電圧に従って前記トランジスタ・スイッチを制御して、前記第２のパルス電圧の後縁が前記第１のパルス電圧の後縁（ＴＥＶＢＳＴ）に先立って生じるようにする、微分回路（Ｃ１、Ｒ６）と、
前記第１のパルス電圧の前記電圧源と前記トランジスタ・スイッチの主電流導通端子（ＥＭＩＴＴＥＲ）とに結合され、前記第２のパルス電圧の前記後縁に従って定められる後縁（ＴＥＶＢＬＡＮＫ）を有する第３のパルス電圧（ＶＢＬＡＮＫ）を発生し、該第３のパルス電圧は前記ビデオ表示プロセッサ（１２０）に結合され、該第３のパルス電圧の前記後縁から前記第１のパルス電圧のタイミング情報を与える、インピーダンス（Ｒ１）とを含む、前記ビデオ表示装置。
【００１１】
【発明の実施の形態】
図１の従来の垂直偏向回路１１は、ウイルバー氏の特許で述べられた回路と同様なものである。同期信号ＳＹＮＣは、従来の垂直カウントダウン回路（図示せず）を含む従来の垂直タイミング発生器１０に結合される。同期信号ＳＹＮＣは、例えば、ＮＴＳＣ基準に従うベースバンドのテレビジョン信号を処理するテレビジョン受像機のビデオ検波器（図示せず）により発生される。タイミング発生器１０はパルス制御信号ＶＲＥＳＥＴを垂直周波数で発生し、信号ＶＲＥＳＥＴは従来の垂直のこぎり波発生器１００に結合される。発生器１００は一対ののこぎり波信号ＶＲＡＭＰ２とＶＲＡＭＰ１を発生する。信号ＶＲＡＭＰ１とＶＲＡＭＰ２は、各水平走査期間の間に反対方向に変化する相補的信号である。
【００１２】
偏向回路１１は、のこぎり波信号ＶＲＡＭＰ１とＶＲＡＭＰ２により制御される、ＤＣ結合される偏向回路である。回路１１において、偏向巻線Ｌｙは、陰極線管（ＣＲＴ）２２において垂直偏向を行う。巻線Ｌｙは、偏向電流サンプリング抵抗Ｒ８０と直列に結合される。巻線Ｌｙと抵抗Ｒ８０は、増幅器１１ａの出力端子１１ｂと、電源減結合コンデンサＣｂの結合端子１１ｃとの間に結合される。増幅器１１ａとブースト段１１ｆは集積回路（ＩＣ）ＴＤＡ８１７２の中に含まれる。端子１１ｃに供給されるＤＣ電圧は供給電圧Ｖ+ の約２分の１に等しい（あとで述べる）。偏向巻線Ｌｙと抵抗Ｒ８０の間に結合される結合端子１１ｄは、帰還抵抗Ｒ６０を介して、増幅器１１ａの反転入力端子に結合される。抵抗Ｒ８０の端子１１ｃは抵抗Ｒ３０を介して増幅器１１ａの非反転入力端子に結合される。このようにして、抵抗Ｒ８０に生じる負帰還電圧は、増幅器１１ａの入力端子に印加される。相補的のこぎり波信号ＶＲＡＭＰ１とＶＲＡＭＰ２は、それぞれ抵抗Ｒ４０とＲ５０を介して、増幅器１１ａの非反転入力と反転入力端子に結合され、偏向電流ｉｙ（図１に示す）を制御する。
【００１３】
信号ＶＲＡＭＰ１とＶＲＡＭＰ２の各々の帰線部分ＲＥＴＲＡＣＥは速く変化するので、偏向増幅器１１ａは線型帰還モードでの動作を停止し、供給端子ピン６における電圧ＶＢは偏向巻線Ｌｙに印加される。帰線電圧Ｖ１１ｂが発生される。ブースト段１１ｆのスイッチ１１ｆ１により、コンデンサ１１ｇはブースト・コンデンサ１１ｅと直列に結合される。コンデンサ１１ｅは、垂直走査期間の間にダイオードＸとスイッチ１１ｆ２を介して、＋２６Ｖの供給電圧Ｖ+ から充電される。
【００１４】
フィルタ・コンデンサ１１ｇに生じる供給電圧は、ブースト・コンデンサ１１ｅに発生される電圧と合計され、垂直帰線期間の間にブースト電圧ＶＢを形成する。ブースト電圧ＶＢは、電圧ＶＢが形成されるときに、ダイオードＸを介して、＋２６Ｖの供給電圧Ｖ+ から減結合される。ブースト電圧ＶＢは、電圧Ｖ+ の値の約２倍に等しく、増幅器１１ａのトランジスタ出力段（図示せず）に供給される。
【００１５】
前縁ＬＥＶＢＳＴを有する垂直周波数のパルス電圧ＶＢＳＴは、ＩＣＴＤＡ８１７２のピン３に発生され、且つダイオードＸから離れているコンデンサ１１ｅの端子に発生される。前縁ＬＥＶＢＳＴは垂直帰線の開始と一致する。パルス電圧ＶＢＳＴの後縁ＴＥＶＢＳＴは、増幅器１１ａが線型モードの動作を再開する時間の付近で生じる。
【００１６】
水平出力段１３０（図２）に生じる水平周波数の信号の、例えば、寄生的結合のために、後縁ＴＥＶＢＳＴは、連続するフィールド間の変動を生じ易い。後縁ＴＥＶＢＳＴのフィールド間の変動は前縁ＬＥＶＢＳＴの変動よりも著しい。
【００１７】
本発明を実施するパルスの整形回路１１０は、直列に結合される抵抗Ｒ１と抵抗Ｒ２により形成される分圧器を含んでいる。パルス電圧ＶＢＳＴは、抵抗Ｒ１とＲ２とＲ３の間にある結合端子１１０ａを介して、エミッタホロワ・トランジスタＱ１のベースに結合される。トランジスタＱ１は、エミッタ抵抗Ｒ５とコレクタ抵抗Ｒ４を備えている。従って、トランジスタＱ１のエミッタに発生されるエミッタ・パルス電圧ＶＢＬＡＮＫの前縁は前縁ＬＥＶＢＳＴにほぼ一致する。
【００１８】
また、パルス電圧ＶＢＳＴは、コンデンサＣ１を介して、シャントまたはクランプ・トランジスタＱ２のベース電極にも結合される。トランジスタＱ２のエミッタは結合端子１１０ａに結合され、コレクタはコレクタ負荷抵抗Ｒ７に結合される。抵抗Ｒ６はトランジスタＱ２のベースに結合される。抵抗Ｒ６とコンデンサＣ１は微分回路、Ｒ−Ｃ回路網を形成する。トランジスタＱ３のコレクタ電極はトランジスタＱ２のベース電極に結合され、Ｑ３のベース電極はＱ２のコレクタ電極に結合される。トランジスタＱ２とＱ３は、トランジスタＱ２がターン・オンされると、再生的（ｒｅｇｅｎｅｒａｔｉｖｅ）スイッチを形成する。
【００１９】
前縁ＬＥＶＢＳＴの直ぐあとに続く期間ＴＷの間に、トランジスタＱ２のベース電圧はそのエミッタ電圧よりも正になる。従って、トランジスタＱ２はターン・オフされ、パルス電圧ＶＢＬＡＮＫに影響を与えない。従って、期間ＴＷの間、電圧ＶＢＬＡＮＫは、電圧ＶＢＳＴの大きさにより、且つ抵抗Ｒ１とＲ２で形成される分圧器により定められる。期間ＴＷの間、コンデンサＣ１は抵抗Ｒ６を介して充電され、トランジスタＱ２のベース電圧は、抵抗Ｒ６とコンデンサＣ１の時定数に従って、次第に減少する。
【００２０】
期間ＴＷの終りに、コンデンサＣ１が十分なレベルにまで充電されて、トランジスタＱ２のベースに十分に低い電圧を発生させると、トランジスタＱ２はターン・オンされる。従って、トランジスタＱ３はターン・オンされ、トランジスタＱ２のベース電圧は減少し、０Ｖに近くなる。従って、端子１１０ａにおけるトランジスタＱ２のエミッタ電圧は、トランジスタの飽和電圧をトランジスタＱ１のエミッタに生じるのに十分なだけ小さくなる。
【００２１】
有利なことに、期間ＴＷのあとに続くパルス電圧ＶＢＬＡＮＫの後縁ＴＥＶＢＬＡＮＫは、後縁ＴＥＶＢＳＴのタイミングに依存しない長さを有する。従って、有利なことに、水平偏向回路１３０から寄生的結合により生じる、連続するフィールド間の後縁ＴＥＶＢＳＴの変動は後縁ＴＥＶＢＬＡＮＫに影響を与えない。
【００２２】
タイミング発生回路とのこぎり波発生回路１００は、信号ＶＲＡＭＰ１とＶＲＡＭＰ２を発生する集積回路（ＩＣ）１００ａの中に含められる。信号ＶＲＡＭＰ１とＶＲＡＭＰ２は信号ＶＲＥＳＥＴから得られる。従って、信号ＶＢＬＡＮＫを発生するために信号ＶＲＥＳＥＴを直接使用する必要は避けられる。従って、ＩＣ１００ａから信号ＶＲＥＳＥＴを取り出す専用のピンは必要とされない。従って、ＩＣ１００ａに必要とされるピンの数は、ＩＣ１００ａから信号ＶＲＥＳＥＴを別個に取り出す場合よりも少なくなり、有利である。
【００２３】
ダイオードＤ１は、パルス電圧ＶＢＬＡＮＫをＰＩＰ表示プロセッサ１２０の入力端子１２０ａに結合させる。従来の方法（図示せず）で水平偏向回路１３０で発生される、水平周波数のパルス電圧ＨＢＬＡＮＫはダイオードＤ２を介してＰＩＰ表示プロセッサ１２０の入力端子１２０ａに結合される。従って、ダイオードＤ１とＤ２はダイオードによるオア（ＯＲ）回路を形成し、複合同期信号ＣＯＭＰＯＳＹを発生する。プロセッサ１２０において複合同期信号ＣＯＭＰＯＳＹは、例えば、カンフィールド氏の特許で述べたものと同様なフィールド検出器１２０ｂに結合される。
【００２４】
【発明の効果】
垂直偏向増幅器において生じる変動の影響をほとんど受けないようにすることができる。
【図面の簡単な説明】
【図１】従来の垂直偏向回路を示す。
【図２】発明的特徴を実施するパルスの整形回路を示す。
【符号の説明】
１０    従来の垂直タイミング発生回路
１１    従来の垂直偏向回路
１００    従来の垂直のこぎり波発生回路
１１０    パルスの整形回路
１２０    ＰＩＰ表示プロセッサ
１３０    水平偏向回路
【図１】
0003860296.tif 000002
【図２】
0003860296.tif 000003